(57)【要約】【課題】従来にあっては、ハウジング本体とハウジングカバーとの全周を半田付けすることから、品質上、および作業工程上から完全に密閉状態とすることが困難であり絶縁油が洩れることがある。また、鉛である半田を使用することから、環境上の問題も発生するといった問題があった。【解決手段】歯科医院において患者の口腔内のレントゲンを撮影するためのレントゲン装置において、該レントゲン装置におけるＸ線回路を収納する金属で構成されたハウジング本体１とハウジングカバー２の接合部１ａ，２ａの全周をカールした巻き締め構造とした歯科用レントゲン装置である。【選択図】　　　　図４
2004105612.tif 000002
【特許請求の範囲】
【請求項１】
歯科医院において患者の口腔内のレントゲンを撮影するためのレントゲン装置において、該レントゲン装置におけるＸ線回路を収納する金属で構成されたハウジング本体とハウジングカバーとの接合部の全周をカールした巻き締め構造としたことを特徴とする歯科用レントゲン装置。
【請求項２】
歯科医院において患者の口腔内のレントゲンを撮影するためのレントゲン装置でおいて、該レントゲン装置におけるＸ線回路を収納する金属で構成されたハウジング本体とハウジングカバーとの接合部の全周を、該接合部に当接し自転しながら接合部の全周を対角線上に移動する一対の第１のローラによって緩いカール状態となし、次いで、前記緩いカール状態の接合部に当接し自転しながら接合部の全周を対角線上に移動する一対の第２のローラによって締め付け巻き締めして製造することを特徴とする歯科用レントゲン装置の製造方法。
【発明の詳細な説明】
【０００１】
【発明の属する技術分野】
本発明は歯科医院において、患者の口腔内のレントゲン写真を撮影するためのレントゲン装置において、該レントゲン装置内に収容されるＸ線照射を行うためのＸ線照射装置の封止に改良を施した歯科用レントゲン装置およびその装置に関する。
【０００２】
【従来の技術】
図５は着座した状態の患者の口腔内のＸ線写真を撮影するための歯科用レントゲン装置の一例を示すものであり、ａはレントゲン撮影用椅子、ｂは該椅子ａが取付けられた基台ｃから起立された支柱、ｄは該支柱に対して水平方向に回転自在に取付けられた第１の回動腕、ｅは該水平回動腕ｄの先端に垂直方向および上下方向に回動自在に取付けられた第２の回動腕、ｆは該第２の回動腕ｅに取付けられたレントゲン装置である。
【０００３】
そして、患者の口腔内のＸ線写真を撮影するには、患者を椅子ａに着座させた状態で患者の口に対して上下方向および左右方向に前記第１の回動腕ｄおよび第２の回動腕ｅを介してレントゲン装置ｆのＸ線放射口ｆ３　（図６参照）を向け、口腔内のＸ線写真を撮るものである。
【０００４】
前記したレントゲン装置ｆは図６に示すような構造となっている。すなわち、合成樹脂によって形成された外ケースｆ１　と、該ケースｆ１　内に放射線が洩れないように金属からなる密閉ケースｆ２　と、該密閉ケースｆ２　内に収容されたＸ線管ｇ１　、高圧トランスｇ２　、サブトランスｇ３　とから構成されたＸ線照射回路とから構成されているものである。なお、ｆ４　は前記第２の回動腕ｅに取付けるための受け金具である。
【０００５】
ところで、前記Ｘ線照射回路ｇを収納した金属製の密閉ケースｆ２　はハウジング本体とハウジングカバーとから構成されており、該ハウジング本体とハウジングカバーとは、例えば、本出願人会社が出願した
【特許文献】特開平８−３０９５２１号
で開示されている自動ハンダ装置によって半田付けすることにより密閉していた。すなわち、図７に示すように、前記Ｘ線照射回路が収容されたハウジング本体１にハウジングカバー２を被せ、該ハウジングカバー２とハウジング本体１との接合部１ａ，２ａを前記自動ハンダ装置によって半田付けしたものであった。
【０００６】
【発明が解決しようとする課題】
このような従来の密閉ケースにあっては、ハウジング本体とハウジングカバーとの全周を半田付けすることから、品質上、および作業工程上から完全に密閉状態とすることが困難であり放電防止作用と熱冷却のために真空充填された絶縁油が洩れることがある。また、鉛である半田を使用することから、環境上の問題も発生するといった問題があった。
【０００７】
本発明は前記した問題点を解決せんとするもので、その目的とするところは、密閉ケースのハウジング本体とハウジングカバーとを折り返し巻き込む機械的な方法によって封止したことにより、製造が簡単であると共に密閉度が確実で環境汚染の恐れもない歯科用レントゲン装置およびその製造方法を提供せんとするにある。
【０００８】
【課題を解決するための手段】
本発明に係る歯科用レントゲン装置は前記した目的を達成せんとするもので、その手段は、歯科医院において患者の口腔内のレントゲンを撮影するためのレントゲン装置において、該レントゲン装置におけるＸ線回路を収納する金属で構成されたハウジング本体とハウジングカバーとの接合部の全周をカールした巻き締め構造としたものである。
【０００９】
また、本発明に係る歯科用レントゲン装置を製造する製造方法の手段は、歯科医院において患者の口腔内のレントゲンを撮影するためのレントゲン装置でおいて、該レントゲン装置におけるＸ線回路を収納する金属で構成されたハウジング本体とハウジングカバーとの接合部の全周を、該接合部に当接し自転しながら接合部の全周を対角線上に移動する一対の第１のローラによって緩いカール状態となし、次いで、前記緩いカール状態の接合部に当接し自転しながら接合部の全周を対角線上に移動する一対の第２のローラによって締め付け巻き締めして製造することを特徴とする。
【００１０】
【発明の実施の形態】
先ず、図１〜図４と共に歯科用レントゲン装置の製造装置および製造方法について説明する。
図１、図２は歯科用レントゲン装置におけるハウジング本体１とハウジングカバー２との接合をシールするための装置の要部を示し、１１，１２は外周面の形状が異なるそれぞれ一対の第１および第２のローラである。
【００１１】
前記第１、第２のローラ１１，１２は、それぞれが図示しないシーミング装置における回転部材に対して回転自在に取付けられ、かつ、該回転部材はモータ等の駆動手段によって回転するように構成されている。なお、第１のローラ１１と第２ローラ１２とは回転部材に対して対角線上で対向するように配置されている。
【００１２】
また、第１のローラ１１の外周面は図２に示すようにシーミング装置におけるシーミング押え台３の逃げ溝３ａに入り込むリング部１１ａと、ハウジング本体１とハウジングカバー２との接合部１ａ，２ａ（以下、単に接合部という）をカールするための比較的大きな円弧であるリング状の溝１１ｂが形成されている。
【００１３】
さらに、第２のローラ１２の外周面は図２に示すようにシーミング装置におけるシーミング押え台３の逃げ溝３ａにに入り込むリング部１２ａと、ハウジング本体１とハウジングカバー２との接合部をカールするための比較的小さな円弧であるリング状の溝１２ｂが形成されている。
【００１４】
また、前記第１のローラ１１と第２のローラ１２とは、最初に第１のローラ１１が接合部１ａ，２ａに対して自転しながら回転部材が回転することにより前記接合部１ａ，２ａの外周を押圧しながら移動する。一方、第２のローラ１２は前記第１のローラ１１による接合部１ａ，２ａのカールが終了した後、接合部１ａ，２ａに対して自転しながら回転部材が回転することにより前記接合部１ａ，２ａの外周を押圧しながら移動する構成となっている。
【００１５】
次に、前記したシーミング装置を使ってハウジング本体１とハウジングカバー２との接合部１ａ，２ａをカールする製造方法について説明する。
先ず、接合部１ａまたは２ａの何れか一方に接着剤を塗布した状態において、ハウジング本体１をシーミング装置における受台（図示せず）にセットする。次いで、ハウジング本体１にハウジングカバー２を被せシーミング押え台３を押下すると、ハウジングカバー２のリング状に形成された凹部２ｂがシーミング押え台３のリング状に形成された凸部３ｂに係合された状態となる。
【００１６】
そして、前記シーミング押え台３を所望の位置まで下降することで、ハウジング本体１とハウジングカバー２とは仮固定された状態となり、かつ、シーミング装置に対して移動することなく固定された状態となる。
【００１７】
この状態において、シーミング装置の回転部材を回転させ、最初に第１のローラ１１を受台３側に向かって押圧すると、接合部１ａおよび２ａが第１のローラ１１の溝１１ｂに入り込む。従って、第１のローラ１１が自転しながら接合部１ａ，２ａの外周を押圧しながら移動するので、図３の（ａ）に示すように接合部１ａ，２ａは第１のローラ１１における溝１１ｂの形状からして緩やかにカールされる。
【００１８】
このカール状態は、第１のローラ１１の溝１１ｂの形状が比較的大きな円弧であることから、ハウジング本体１とハウジングカバー２との接合部１ａ，２ａの形状は緩やかなカール状態となっており密閉状態とはなっていないので、絶縁油が外部に洩れる可能性がある。そこで、本発明にあっては、前記第１のローラ１１から第２のローラ１２への切り換えを行って接合部１ａ，２ａを押圧する作業に切り換える。
【００１９】
この切り換えによって、第２のローラ１２が前記した第１ローラ１１によるカール動作と同じ動作を行うこととなるが、第２のローラ１２の溝１２ｂの形状が比較的小さな円弧であることから、大きな円弧状態となっている接合部１ａ，２ａは図３の（ｂ）に示すように第２のローラ１２における溝１２ｂの形状から押し潰されて巻き締め状態となって密封される。
【００２０】
なお、この状態において、接合部１ａ，２ａとの巻き締め部分は接着剤によって水密状態に保持される（図３の（ｂ）および図４の塗り潰した部分は前記接着剤が溢れた部分を示している）。
【００２１】
前記したような製造方法によって製造したハウジング本体１とハウジングカバー２との接合部１ａ，２ａは図４に示す如くカール状態となるので、絶縁油が接合部１ａ，２ａの隙間から洩れ出ることがなくなると共に、簡単な製造装置で行えるのでコストの低減も図れ、しかも、半田である鉛を使用しないので、環境上の問題も解決できる。
【００２２】
なお、前記した実施の形態にあっては、巻き締めを２重巻きのものを示したが、１重巻きや３重巻きにしてもよく、巻き数が多いほど密閉度は良好になる。
【００２３】
【発明の効果】
本発明は前記したように、Ｘ線回路を収納する金属で構成されたハウジング本体とハウジングカバーとの接合部の全周をカールした巻き締め構造としたので、密封状態が良好となって絶縁油の洩れるのを防止でき、また、半田である鉛を使用しないので、環境上の問題も解決できる他、巻き締めするための製造方法も簡単であるので作業性の向上も図れコストの低減を図ることができる等の効果を有するものである。
【図面の簡単な説明】
【図１】本発明の歯科用レントゲン装置を製造するための製造装置における第１、第２のローラの配置関係を示す要部の平面図である。
【図２】同上のローラと接合部との関係を示す側面図である。
【図３】（ａ）は製造途中における接合部の断面図、（ｂ）は出来上がった状態の接合部の断面図である。
【図４】同上の出来上がった状態の接合部の拡大断面図である。
【図５】歯科用レントゲン装置全体の斜視図である。
【図６】Ｘ線回路が組み込まれたハウジング本体の平面図である。
【図７】従来の接合部分の拡大断面図である。
【符号の説明】
１　　　　　ハウジング本体
１ａ　　　　接合部
２　　　　　ハウジングカバー
２ａ　　　　接合部
１１　　　　第１のローラ
１１ｂ　　　溝
１２　　　　第２のローラ
１２ｂ　　　溝
【図１】
2004105612.tif 000003
【図２】
2004105612.tif 000004
【図３】
2004105612.tif 000005
【図４】
2004105612.tif 000006
【図５】
2004105612.tif 000007
【図６】
2004105612.tif 000008
【図７】
2004105612.tif 000009